(57)【要約】【課題】リーフ式表示機を用いた遊技機において、前記リーフ式表示機の表示板を外部から視認可能な状態で保護する透明板と表示位置にある前記表示板との間の距離を短くする【解決手段】図柄表示ユニット３００は、回転ドラム１３１が回転中の場合にリーフ式表示機１００ａ、１００ｂ、１００ｃを前側に移動させ前記回転ドラム１３１を透明板１１０に近接した位置に配置し、前記回転ドラム１３１が停止中の場合に前記リーフ式表示機１００ａ、１００ｂ、１００ｃを後側に移動させ前記回転ドラム１３１を前記透明板１１０から離れた位置に配置するので、表示板を外部から視認可能な状態で保護する前記透明板１１０と表示位置にある前記表示板との間の距離を短くすることができる。【選択図】図１０
2007229098.tif 000002
【特許請求の範囲】
【請求項１】
回転駆動手段で回転される円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機と、前記リーフ式表示機の前方に配置され前記表示板を外部から視認可能な状態で保護する透明板とを備える遊技機であって、
前記リーフ式表示機を前後に移動させる移動手段と、
前記移動手段を制御し、前記回転ドラムが停止中の場合に前記リーフ式表示機を前側に移動させ前記回転ドラムを前記透明板に近接した位置に配置し、前記回転ドラムが回転中の場合に前記リーフ式表示機を後側に移動させ前記回転ドラムの回転による前記表示板の回転軌跡を前記透明板から離れた位置に配置する移動制御手段とを備えることを特徴とする遊技機。
【発明の詳細な説明】
【技術分野】
【０００１】
本発明は、表示板で絵柄を表示するリーフ式表示機を備える遊技機に関する。
【背景技術】
【０００２】
従来、パチンコ台やスロットマシンなどの遊技機の表示装置としては、ＬＣＤやＬＥＤによるドットマトリックス式の画像表示装置、回転するリールの周面に絵柄を印刷した回胴式表示装置、表示板で絵柄を表示するリーフ式表示機などが知られている。このうちリーフ式表示機は、ドットマトリックス表示素子に比べて安価で、回胴式表示機構に比べて小形にできる利点を有している。
【０００３】
従来のリーフ式表示機は、例えば特許文献１に示されているように、駆動手段で回転される円筒状の回転ドラムの外周に複数の表示板を回転自在に支持し、表示面を構成する上下一対の表示板のうち上側の表示板を表示位置にストッパで係止した状態で、前記回転ドラムを任意の位置で停止させることにより表示位置に位置する上下一対の表示板で絵柄を表示する。さらに詳細に説明すると、このような従来のリーフ式表示機において、上下一対の表示板で絵柄を表示する場合には、前記ストッパが当該表示板の上縁部を係止し、前記表示板による表示の変更を行う場合には、前記回転ドラムを所定角度回転させ、現在表示中の上側の表示板を弾性変形させることで当該表示板の上縁部を前記ストッパから外し、当該表示板を前回りで下方に回動落下させるとともに、後続の表示板の上縁部を前記ストッパで係止する。
【０００４】
【特許文献１】特開平８−１１２４００号公報
【発明の開示】
【発明が解決しようとする課題】
【０００５】
ところで、上述した従来のリーフ式表示機を用いた遊技機では、前記表示板による表示の変更を行う場合に、前記回転ドラムを所定角度回転させ、当該回転ドラムに取り付けた表示板を前回りで下方に回動落下させるので、前記絵柄を表示する表示位置より前面にて前記表示板が回転移動することになり、このため、前記表示板を外部から視認可能な状態で保護する透明板と前記表示位置にある前記表示板との間に比較的大きな空間を設ける必要があり、遊技者の視点が前記表示位置にある前記表示板から離れてしまう等の問題があった。
【０００６】
本発明は、こうした従来の問題に鑑みてなされたものであり、リーフ式表示機の表示板を外部から視認可能な状態で保護する透明板と表示位置にある前記表示板との間の距離を短くすることができる遊技機を提供することを目的としている。
【課題を解決するための手段】
【０００７】
上述した課題を解決するため、請求項１に記載の発明は、回転駆動手段で回転される円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機と、前記リーフ式表示機の前方に配置され前記表示板を外部から視認可能な状態で保護する透明板とを備える遊技機であって、前記リーフ式表示機を前後に移動させる移動手段と、前記移動手段を制御し、前記回転ドラムが停止中の場合に前記リーフ式表示機を前側に移動させ前記回転ドラムを前記透明板に近接した位置に配置し、前記回転ドラムが回転中の場合に前記リーフ式表示機を後側に移動させ前記回転ドラムの回転による前記表示板の回転軌跡を前記透明板から離れた位置に配置する移動制御手段とを備えることを特徴とする。
【０００８】
請求項１に記載の遊技機によれば、前記移動制御手段が、前記回転ドラムが停止中の場合に前記リーフ式表示機を前側に移動させ前記回転ドラムを前記透明板に近接した位置に配置するので、リーフ式表示機の表示板を外部から視認可能な状態で保護する透明板と表示位置にある前記表示板との間の距離を短くすることができる。
【発明の効果】
【０００９】
本発明の遊技機によれば、リーフ式表示機の表示板を外部から視認可能な状態で保護する透明板と表示位置にある前記表示板との間の距離を短くすることができるので、遊技者の視点を表示位置にある表示板と一致させ、表示板の視認性を向上する等が可能になる。
【発明を実施するための最良の形態】
【００１０】
以下、本発明に係る遊技機の好適な一実施形態をパチンコ機を例に図面を参照して説明する。尚、図１は、パチンコ機１の表側側の外観構造を表した正面図、図２は、パチンコ機１の裏面側の構造を表した図である。
【００１１】
図１において、パチンコ機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１２】
前枠３は、正面左側上下部に配設された開閉連結支持機構４ａ，４ｂを介して外枠２に開閉（片持ち横開き）可能に組付けるとともに、正面右側内部に配設された施錠装置５を利用して閉鎖状態に保持される。
【００１３】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持される。
【００１４】
上球皿７には、払い出された遊技球を貯留して整列させる球皿部７ａが設けられるとともに、球皿部７ａに貯留する遊技球を下球皿８に排出させる球抜きレバー７ｂが設けられている。球皿部７ａの左下側には演出用の放音部７ｃが設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。
【００１６】
前枠３の裏側には、この前枠３と一体に方形枠状の収容枠１０（図２参照）が成形されている。
【００１７】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００１８】
遊技盤１１は、所定板厚の積層合板の表面にセルが貼り付けられた化粧板１４の前面側に、ステンレス鋼板等を利用した帯状の外レール１６ａおよび内レール１６ｂ（これらを合わせて案内レール１５と称する）が固設され、この案内レール１５に囲まれた内側に遊技領域１２が区画されている。
【００１９】
遊技領域１２内には、多数本の遊技釘とともに、複数の風車、一般入賞具１７や始動入賞具１８並びにアタッカー入賞具１９などの入賞具、図柄表示装置１００などが設けられている。
【００２０】
図柄表示装置１００は、向かって左から順にリーフ式表示機１００ａ、１００ｂ、１００ｃが並べられている。リーフ式表示機１００ａ、１００ｂ、１００ｃの前方には、前記リーフ式表示機１００ａ、１００ｂ、１００ｃの表示板１３２ａ、１３２ｂ、１３２ｃ…１３２ｔ（図７参照）の内表示位置にあるものを外部から視認可能な状態で保護する透明板１１０が配置されている。
【００２１】
一般入賞具１７は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。
【００２２】
始動入賞具１８は、いわゆる電動チューリップ構成の入賞具からなり、左右のチューリップ羽根１８ａ、１８ｂを開閉させることができる。この始動入賞具１８にも入賞した遊技球を検出する入賞球検出センサが取り付けられる。
【００２３】
アタッカー入賞具１９は、中央に横長方形状の開口からなる大入賞口を有し、この大入賞口を開閉自在に覆って開閉扉１９ａが取り付けられている。開閉扉１９ａは通常閉止されており、遊技中において所定の遊技条件の下で特別遊技状態が成立したときに、開閉扉１９ａが前方にほぼ９０度倒されて大入賞口が開放される。このアタッカー入賞具１９の大入賞口内にも入賞球検出センサが取り付けられる。
【００２４】
一般入賞具１７、始動入賞具１８及びアタッカー入賞具１９の後側には化粧板１４を貫通するセーフ球通路孔（不図示）が設けられている。一般入賞具１７、始動入賞具１８及びアタッカー入賞具１９に入賞したセーフ球はセーフ球通路孔を通って遊技盤１１の裏面側に排出される。
【００２５】
遊技領域１２の最下部には、入賞具１７，１８，１９に入賞せずに落下したアウト球を集合して排出させるアウト口２０が設けられている。アウト口２０の後側には化粧板１４を貫通してアウト球通路孔が形成されており、アウト口２０に集められたアウト球がアウト球通路孔を通って遊技盤１１の裏面側に排出される。
【００２６】
次に、パチンコ機１の裏面側の構造について詳細に説明する。
【００２７】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２１ａ、２１ｂ、２１ｃで固定保持されるようになっている。
【００２８】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成される。
【００２９】
また、前枠３の裏側下部には打球発射装置９が取り付けられ、前枠３における収容枠１０の下部に前枠３と一体に遊技補助盤２２が形成されている。なお、遊技補助盤２２の表側には打球発射装置９のハンマーと位置整合して遊技球を遊技盤の外レール１６ａ（図１参照）に向けて発射する発射レールや、放音部７ｃに向けて効果音を発生するスピーカ等が取り付けられている。また、遊技補助盤２２は、上球皿７の裏側に位置し、通常閉鎖状態に保持される上球皿７によりその表面側が覆われている。
【００３０】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されるようになっている。
【００３１】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成される。
【００３２】
整列樋部材３２は、タンク部材３１から供給された予備賞球を整列状に収容して下端の変向出口３４に送出し得るようになっている。
【００３３】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３４】
賞球払出機構４０は、裏セット盤５０の盤本体をなす開閉基枠体４１に、球貯留供給機構３０の変向出口３４に繋がる球切れ検出スイッチ４２、変向出口３４から送出される賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３５】
球切れ検出スイッチ４２は、賞球として払い出すに充分な予備賞球が整列待機通路部材４３に保持されているか否かを検出するためのものである。
【００３６】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００３７】
さらに、裏セット盤５０の各部には、このパチンコ機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、図柄表示装置１００（図１参照）用の表示制御基板９６等が設けられている。
【００３８】
次に、パチンコ機１におけるゲーム動作の概要を説明する。
【００３９】
パチンコ機１は、上球皿７およびガラス扉６が閉止施錠された状態で遊技に供され、球皿部７ａに遊技球を貯留させて操作ハンドル９ａを回動操作することにより遊技が開始される。操作ハンドル９ａの操作レバーが回動操作されると、球皿部７ａに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。
【００４０】
遊技領域１２に導かれた遊技球が各入賞具１７，１８，１９に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出される。また、遊技盤１１の前面側の図柄表示装置１００のリーフ式表示機１００ａ、１００ｂ、１００ｃは、遊技盤１１の裏面側に取り付けられた表示制御基板９６により制御されて前述の遊技状況に応じた種々の表示がなされる。
【００４１】
一方、遊技領域１２に導かれた遊技球が入賞具１７，１８，１９に入賞せずに落下すると、アウト球としてアウト口２０に集合し、アウト球通路孔を通って遊技盤１１の裏面側に排出される。
【００４２】
次に、図柄表示装置１００及びその周辺部について説明する。
【００４３】
図３は図柄表示装置１００を搭載する図柄表示ユニット３００の分解斜視図、図４は図柄表示ユニット３００の組み立てた状態の斜視図、図５は図柄表示ユニット３００の底面図、図６は図柄表示ユニット３００の側面図、図７はリーフ式表示機１００ｂの分解斜視図、図８はリーフ式表示機１００ｂの斜視図、図９はリーフ式表示機１００ｂの正面図、図１０は図柄表示ユニット３００の側方から見た断面図、図１１は図柄表示ユニット３００を制御する回路系統を示すブロック図、図１２は図柄表示ユニット３００の動作を説明する説明図である。
【００４４】
図３において、図柄表示ユニット３００は、図柄表示装置１００と、移動台座３０１と、ベース板３０２と、直線ギア部材３０３と、モータ３０４と、取り付け金具３０５と、ネジ３１１、３１２、３１３、３１４、３１５、３１６、３１７とで構成されている。
【００４５】
移動台座３０１は、例えばアルミニュウム合金を左右に長い長辺形の板状に形成したものである。移動台座３０１の左端面には前後のローラ３２１、３２２が左右方向を回転軸として回転可能に設けられている。移動台座３０１の右端面には前後のローラ３２３、３２４が左右方向を回転軸として回転可能に設けられている。また、移動台座３０１には、上面と下面の間を貫通して左側、中央、右側の貫通孔３３１、３３２、３３３が形成されている。移動台座３０１の下面の中央の貫通孔３３２の若干左寄りには、板状部３２５が下方に突出して形成されている。板状部３２５は、長手方向が前後方向に向けられている。板状部３２５の下端面には、直線ギア部材３０３をネジ止め固定するためのねじ孔３３４、３３５が形成されている。
【００４６】
ネジ３１１、３１２、３１３は、そのネジ部が移動台座３０１の貫通孔３３１、３３２、３３３に挿入し、図柄表示装置１００を構成するリーフ式表示機１００ａ、１００ｂ、１００ｃの下面に形成されたネジ孔１１４（図７参照）に螺入することで、リーフ式表示機１００ａ、１００ｂ、１００ｃを移動台座３０１の上面に固定するようになっている。
【００４７】
ベース板３０２は、例えばアルミニュウム合金を左右に長い長辺形の板状に形成したものである。また、ベース板３０２は、左右方向が移動台座３０１に比べて若干長く、前後方向が移動台座３０１に比べて３０％程度長く形成されている。
【００４８】
ベース板３０２の中央より若干左寄りの位置には、上面と下面の間を貫通してスリット３４１が前後方向に沿って形成されている。ベース板３０２のスリット３４１よりも右寄りの位置には、ネジ孔３４２、３４３が形成されている。
【００４９】
ベース板３０２の下面の正面側左隅及び正面側右隅には、裏セット盤５０（図２参照）にネジ止めするためのネジ止め部３４４、３４５がそれぞれ形成されている。
【００５０】
直線ギア部材３０３の上面の右端には、直線ギア３５１が前後方向に向けて形成されている。直線ギア部材３０３は、板状部３２５のねじ孔３３４、３３５に対応する位置に貫通孔３５４、３５５が形成されている。
【００５１】
モータ３０４のシャフト３６１には、直線ギア部材３０３の直線ギア３５１と咬み合うギア３６２が取り付けられている。
【００５２】
取り付け金具３０５は、帯状の金属を湾曲及び折曲してＵ字部３７１及びネジ止め部３７２、３７３を形成したものである。Ｕ字部３７１には、モータ３０４のケース３６３が挿入されるようになっている。取り付け金具３０５におけるＵ字部３７１の左右は、外側に折り曲げられ、ネジ止め部３７２、３７３が形成されている。ネジ止め部３７２、３７３には貫通孔３７６、３７７が形成されている。
【００５３】
ネジ３１６、３１７は、そのネジ部が取り付け金具３０５の貫通孔３７６、３７７に挿入し、ベース板３０２のネジ孔３４２、３４３に螺入することで、Ｕ字部３７１にモータ３０４のケース３６３が挿入された取り付け金具３０５をベース板３０２にネジ止め固定する。
【００５４】
一方、ネジ３１４、３１５は、直線ギア部材３０３の貫通孔３５４、３５５にそれぞれ挿入し、ベース板３０２のスリット３４１から下方に突出した板状部３２５のねじ孔３３４、３３５に螺入することで、板状部３２５に直線ギア部材３０３をネジ止め固定する。
【００５５】
図４に示すように、図柄表示ユニット３００を組み立てた状態では、移動台座３０１は、上面にリーフ式表示機１００ａ、１００ｂ、１００ｃを搭載した状態で、ローラ３２１、３２２、３２３、３２４（図３参照）を介してベース板３０２に前後に移動可能な状態で搭載される。
【００５６】
図５及び図６に示すように、図柄表示ユニット３００を組み立てた状態では、図柄表示装置１００及び移動台座３０１は、ベース板３０２のスリット３４１に挿入された板状部３２５により、前後方向の移動範囲に制限がかけられる。この移動範囲において、モータ３０４のシャフト３６１に固定されたギア３６２は、直線ギア部材３０３の直線ギア３５１と咬み合い、モータ３０４からの回転力を直線ギア部材３０３及び移動台座３０１に伝達する。
【００５７】
次に図柄表示装置１００のリーフ式表示機１００ｂについて図面を参照して詳細に説明する。
【００５８】
図７において、リーフ式表示機１００ｂは、ケース１０１と、回転駆動手段としての回転駆動部１０２と、回転位置検出センサ１０３と、リーフ式表示機構部１０４と、ストッパ機構部１０５とから構成されている。
【００５９】
ケース１０１は、ケース本体１１１と側面板１１２とを備えている。
【００６０】
回転駆動部１０２は、ステッピングモータ１２１と、ピニオンギア１２２と、スパーギア１２３と、このスパーギア１２３が取り付けられた回転軸１２４とを備えている。
【００６１】
リーフ式表示機構部１０４は、回転ドラム１３１と、複数の表示板１３２ａ、１３２ｂ、１３２ｃ…１３２ｔとを備えている。
【００６２】
ストッパ機構部１０５は、ストッパ１４１と、回転軸１４２と、軸受け部材１４３ａ、１４３ｂと、ソレノイド１４４とを備えている。
【００６３】
以下、ケース１０１について詳細に説明する。
【００６４】
ケース１０１のケース本体１１１は、前面及び前面から向かって右側の側面が開口した形状に形成されている。ケース本体１１１の右側面が開口は、側面板１１２によって閉塞されるようになっている。
【００６５】
ケース本体１１１の後壁１５１には貫通孔１５２ａ、１５２ｂが形成されている。ネジ１５３ａ、１５３ｂは、それぞれのネジ部が後壁１５１の外面側から貫通孔１５２ａ、１５２ｂに挿入し、ステッピングモータ１２１のネジ止部１２５に形成されたネジ穴に螺入することで、図１０に示すように、ステッピングモータ１２１を後壁１５１の内面側にネジ止め固定する。
【００６６】
さらに、図７において、ケース本体１１１の後壁１５１には、ステッピングモータ１２１の配線１２６及び回転位置検知センサ１０３の配線１８１を通すための貫通孔１５２ｃが形成されている。
【００６７】
ケース本体１１１の左側の側壁１５４の１／２の高さの位置には軸受け１５５ａ、１５６ａが前後に並べて設けられている。軸受け１５５ａには、リーフ式表示機構部１０４の回転ドラム１３１の回転軸１３３の左端が挿入されるようになっている。軸受け１５６ａには、回転駆動部１０２のスパーギア１２３用の回転軸１２４の左端が挿入されるようになっている。
【００６８】
側面板１１２の１／２の高さの位置には、軸受け１５５ｂ、１５６ｂが前後に並べて設けられている。軸受け１５５ｂには、リーフ式表示機構部１０４の回転ドラム１３１の回転軸１３３の右端が挿入されるようになっている。軸受け１５６ｂには、回転駆動部１０２のスパーギア１２３用の回転軸１２４の右端が挿入されるようになっている。
【００６９】
側面板１１２の軸受け１５６ｂの上側位置には貫通孔１５７が形成されている。ネジ１５８は、そのネジ部が側面板１１２の外面側から貫通孔１５７に挿入し、回転位置検出センサ１０３に形成されたネジ穴１８２に螺入することで、図１０に示すように、回転位置検出センサ１０３を側面板１１２の内面側にネジ止め固定する。
【００７０】
さらに、図７において、側面板１１２の四隅近傍には、貫通孔１６０ａ、１６０ｂ、１６０ｃ、１６０が形成されている。ケース本体１１１の右端面には、ネジ穴１６１ａ、１６１ｂ、１６１ｃ、１６１ｄが形成されている。
【００７１】
ネジ１６２ａ、１６２ｂ、１６２ｃ、１６２ｄは、それぞれのネジ部が側面板１１２の貫通孔１６０ａ、１６０ｂ、１６０ｃ、１６０ｄに挿入し、ケース本体１１１のネジ穴１６１ａ、１６１ｂ、１６１ｃ、１６１ｄに螺入することで、ケース本体１１１の左側面に側面板１１２をネジ止め固定するようになっている。ケース１０１は、図８及び図９に示すように、ケース本体１１１に側面板１１２をネジ止め固定した状態で、前面に表示窓１１３を形成する。
【００７２】
図７において、ケース本体１１１の下面であるところの下壁１７０の中央部にはネジ孔１１４が形成されている。
【００７３】
ケース本体１１１の上壁１７１の前側中央部には、ストッパ機構部１０５を配置するための切欠き１７２が形成されている。上壁１７１の前端面の切欠き１７２が形成された部分の左右には、ネジ穴１７３ａ、１７３ｂが形成されている。
【００７４】
ストッパ機構部１０５の軸受け部材１４３ａ、１４３ｂには貫通孔１４５ａ、１４５ｂが形成されている。
【００７５】
ネジ１７４ａ、１７４ｂは、それぞれのネジ部が軸受け部材１４３ａ、１４３ｂの貫通孔１４５ａ、１４５ｂに挿入し、ケース本体１１１の切欠き１７２のネジ穴１７３ａ、１７３ｂに螺入することで、軸受け部材１４３ａ、１４３ｂを切欠き１７２にネジ止め固定する。軸受け部材１４３ａ、１４３ｂは、回転軸１４２の左右両端を回転可能な状態で軸支する。
【００７６】
ケース本体１１１の上壁１７１の上面における切欠き１７２の後ろ側の位置には、ネジ止め部１７５が上方に突出して設けられている。
【００７７】
ネジ止め部１７５には貫通孔１７６ａ、１７６ｂが上下に並べて形成されている。ネジ１７７ａ、１７７ｂは、それぞれのネジ部がネジ止め部１７５の後方から貫通孔１７６ａ、１７６ｂに挿入し、ソレノイド１４４に形成されたネジ穴に螺入することで、図１０に示すように、ソレノイド１４４をネジ止め部１７５にネジ止め固定する。
【００７８】
以下、回転駆動部１０２について詳細に説明する。
【００７９】
図７において、ステッピングモータ１２１の回転軸には、ピニオンギア１２２が取り付け固定されている。
【００８０】
回転軸１２４の右端近傍にはスパーギア１２３が取り付けられている。回転軸１２４は、リーフ式表示機１００ｂが組み立てられた状態で、ケース本体１１１の軸受け１５６ａ及び側面板１１２の軸受け１５６ｂによって回転自在に軸支される。
【００８１】
スパーギア１２３は、リーフ式表示機１００ｂが組み立てられた状態で、図１０に示すように、ステッピングモータ１２１のピニオンギア１２２と噛み合う。
【００８２】
このような構造により、ステッピングモータ１２１の回転軸が回転すると、スパーギア１２３は、ステッピングモータ１２１からの動力を減速させてトルクアップして回転する。
【００８３】
次に、リーフ式表示機構部１０４について詳細に説明する。
【００８４】
図７において、リーフ式表示機構部１０４の円筒状の回転ドラム１３１は、円筒部１９１の中心軸上に回転軸１３３を有し、円筒部１９１の左端外周にフランジ部１９２が突出形成され、円筒部１９１の右端外周にファイナルギア１９３が取り付け固定されている。
【００８５】
回転軸１３３は、リーフ式表示機１００ｂが組み立てられた状態で、ケース本体１１１の軸受け１５５ａ及び側面板１１２の軸受け１５５ｂによって回転自在に軸支される。
【００８６】
回転ドラム１３１のファイナルギア１９３は、スパーギア１２３と同径かつ同歯数で形成されており、リーフ式表示機１００ｂが組み立てられた状態で、図１０に示すように、回転駆動部１０２のスパーギア１２３と噛み合う。
【００８７】
このような構造により、回転駆動部１０２のステッピングモータ１２１が回転すると、回転ドラム１３１は、ステッピングモータ１２１からの動力を減速させてトルクアップして回転する。
【００８８】
図７において、フランジ部１９２及びファイナルギア１９３には、例えば２０個の支持孔１９４（図１０参照）が同心円上に沿って等間隔毎に形成されている。
【００８９】
複数の表示板１３２ａ、１３２ｂ、１３２ｃ…１３２ｔは、弾性を有する樹脂製の薄板からなり、一側の両側には支持孔１９４（図１０参照）に回転可能に嵌合する軸片部１９５（図９参照）が突出形成されているとともに、一側のみには係合片部１９６が突出形成されている。そして、各表示板１３２ａ、１３２ｂ、１３２ｃ…１３２ｔは、回転ドラム１３１のフランジ部１９２及びファイナルギア１９３間に挿入されるとともに両側の軸片部１９５がフランジ部１９２及びファイナルギア１９３の対向する支持孔１９４にそれぞれ嵌合されて回動自在に支持され、回転ドラム１３１の下部域においては自重により垂直に垂れ下がり、上部域においては係合片部１９６がフランジ部１９２の外周面に当接して回転ドラム１３１と共に回転移動される。また、表示板１３２ａ、１３２ｂ、１３２ｃ…１３２ｔの表裏面には、近接する一対の表示板の表面と裏面とを１組として１つの例えば数字などの絵柄が印刷により表示されており、全体として２０個の絵柄を表示できる。
【００９０】
以下、ストッパ機構部１０５について詳細に説明する。
【００９１】
図７において、ストッパ機構部１０５のストッパ１４１は、例えばステンレス鋼のような強度の高い金属製の薄板を上下方向に長い長方形に形成されたものであり、上部に左右両側に突出する回転軸１４２が設けられている。回転軸１４２はケース本体１１１の切欠き１７２に固定された軸受け部材１４３ａ、１４３ｂにより回転可能な状態で保持されるようになっている。ストッパ１４１の前面には舌片２０１（図１０参照）が設けられている。舌片２０１は、ピン２０２を介してソレノイド１４４のプランジャ（可動鉄心）２０３に連結される。プランジャ２０３の垂直方向運動は、ストッパ１４１の回転運動に変換される。前記ストッパ１４１は、図１２に示すように、ソレノイド１４４が上方に移動すると、前方側に回転し、前記表示板１３２ａ、１３２ｂ、１３２ｃ…１３２ｔの回転軌跡の外側に退避する。前記ストッパ１４１は、図１０に示すように、ソレノイド１４４が下方に移動すると、後方側に回転し、前記ストッパ１４１を前記表示板１３２ａ、１３２ｂ、１３２ｃ…１３２ｔの係止位置に移動する。
【００９２】
次に、回転位置検出センサ１０３について詳細に説明する。
【００９３】
図７において、スパーギア１２３の左側の面には、回転位置検出センサ１０３により回転位置を検出するための回転位置検出用インデックス２１０（図１０参照）が設けられている。  回転位置検出センサ１０３は、例えば磁気センサを用い、回転位置検出用インデックス２１０には、永久磁石によるチップを用いている。回転位置検出センサ１０３は、Ｌ字状に形成され、検出部１８３がスパーギア１２３の左側に延び出している。回転位置検出センサ１０３は、回転位置検出用インデックス２１０を検出部１８３で検出することで、スパーギア１２３が特定の回転位置に来たことを検出している。
【００９４】
次に、図柄表示ユニット３００のリーフ式表示機１００ａ、１００ｂ、１００ｃ及びモータ３０４を制御する回路構成について詳細に説明する。
【００９５】
図１１において、リーフ式表示機１００ａ、１００ｂ、１００ｃは、電気回路系統として、ステッピングモータ１２１と、ソレノイド１４４と、回転位置検出センサ１０３を備えている。
【００９６】
表示制御基板９６は、リーフ式表示機１００ａ、１００ｂ、１００ｃの全体動作を集中制御するＣＰＵ（マイコン）５０１と、記憶部としてのＲＯＭ５０２及びＲＡＭ５０３と、モータ駆動回路５０４と、ソレノイド駆動回路５０５と、モータ駆動回路５０６とを備えている。
【００９７】
表示制御基板９６のＣＰＵ５０１は、回転位置検出センサ１０３と、パチンコ機１（図２参照）の主制御基板９１と、ＲＯＭ５０２と、ＲＡＭ５０３と、モータ駆動回路５０４と、ソレノイド駆動回路５０５と、モータ駆動回路５０６とが接続されている。
【００９８】
ＣＰＵ５０１は、ＲＯＭ５０２に格納された制御プログラム、パチンコ機１の主制御基板９１からのコマンドデータ、回転位置検出センサ１０３の検出結果に基づいて必要なデータをＲＡＭ５０３に記憶し、モータ駆動回路５０４と、ソレノイド駆動回路５０５と、モータ駆動回路５０６の制御を行う。
【００９９】
モータ駆動回路５０４は、ＣＰＵ５０１からの制御に基づいてステッピングモータ１２１にパルス信号を供給し、ステッピングモータ１２１の回転軸を決められた角度だけ回転させる。
【０１００】
ソレノイド駆動回路５０５は、ＣＰＵ５０１からの制御に基づいてソレノイド１４４のコイルに駆動電流を流し、ソレノイド１４４のプランジャ２０３（図１２参照）を上方に移動させる。また、ソレノイド１４４は、ソレノイド駆動回路５０５から駆動電流が供給させない状態では、内蔵したばねの反発力により、プランジャ２０３が下方に移動する。
【０１０１】
ＣＰＵ５０１は、ステッピングモータ１２１の回転開始から回転停止の所定期間前までの期間に、ソレノイド１４４のプランジャ２０３を上方に移動させ、前記ストッパ１４１（図１２参照）を前記表示板１３２ａ、１３２ｂ、１３２ｃ…１３２ｔ（図１２参照）の回転軌跡の外側に退避させる。
【０１０２】
一方、モータ駆動回路５０６は、ＣＰＵ５０１からの制御に基づいてモータ３０４にパルス信号を供給し、回転軸を決められた方向に決められた角度だけ回転させる。これにより、モータ駆動回路５０６は、ＣＰＵ５０１からの制御に基づいてリーフ式表示機１００ａ、１００ｂ、１００ｃを前後に移動させる。
【０１０３】
ＣＰＵ５０１は、モータ駆動回路５０６の制御を行い、リーフ式表示機１００ａ、１００ｂ、１００ｃの内一つ以上の前記回転ドラム１３１（図７参照）が回転中の場合に前記リーフ式表示機１００ａ、１００ｂ、１００ｃを後側に移動させ図１２に示すように前記回転ドラム１３１を前記透明板１１０から離れた位置に配置する。
【０１０４】
また、ＣＰＵ５０１は、モータ駆動回路５０６の制御を行い、リーフ式表示機１００ａ、１００ｂ、１００ｃの全ての前記回転ドラム１３１（図７参照）が停止中の場合に、前記リーフ式表示機１００ａ、１００ｂ、１００ｃを前側に移動させ図１０に示すように前記回転ドラム１３１を前記透明板１１０に近接した位置に配置する。
【０１０５】
このような構成により、リーフ式表示機１００ａ、１００ｂ、１００ｃは、回転駆動手段で回転される円筒状の回転ドラム１３１の外周に複数の表示板１３２ａ、１３２ｂ、１３２ｃ…１３２ｔを回転自在に支持し、表示面を構成する上下一対の前記表示板１３２ａ、１３２ｂ、１３２ｃ…１３２ｔのうち上側の表示板を表示位置にストッパ１４１で係止した状態で、前記回転ドラム１３１を任意の位置で停止させることにより前記表示位置に位置する上下一対の表示板で絵柄を表示する。
【０１０６】
移動台座３０１と、ベース板３０２と、直線ギア部材３０３と、モータ３０４と、取り付け金具３０５とは、リーフ式表示機１００ａ、１００ｂ、１００ｃを前後に移動させる移動手段となっている。
【０１０７】
表示制御基板９６は、前記移動手段を制御し、前記回転ドラム１３１が停止中の場合に前記リーフ式表示機１００ａ、１００ｂ、１００ｃを前側に移動させ前記回転ドラム１３１を前記透明板１１０に近接した位置に配置し、前記回転ドラム１３１が回転中の場合に前記リーフ式表示機１００ａ、１００ｂ、１００ｃを後側に移動させ前記回転ドラム１３１の回転による前記表示板１３２ａ、１３２ｂ、１３２ｃ…１３２ｔの回転軌跡を前記透明板１１０から離れた位置に配置する移動制御手段となっている。
【０１０８】
以下、図柄表示ユニット３００の動作について説明する。
【０１０９】
尚、この場合、説明を簡略化するため前記リーフ式表示機１００ａ、１００ｂ、１００ｃは同時に回転ドラム１３１の回転と停止を行うものとする。
【０１１０】
まず、機械セット時や電源投入時に、表示制御基板９６は、モータ３０４を制御し、図１２に示すように、前記リーフ式表示機１００ａ、１００ｂ、１００ｃを板状部３２５がスリット３４１の後端に当接する位置まで移動させ、前記回転ドラム１３１を前記透明板１１０から離れた位置に配置する。次に、表示制御基板９６は、ステッピングモータ１２１をテスト回転させ、スパーギア１２３及び回転ドラム１３１を回転させることで、回転位置検出センサ１０３にスパーギア１２３の回転位置検出用インデックス２１０を検出させ、回転ドラム１３１の回転基準位置を検知する。この後、表示制御基板９６は、前記回転基準位置を基準とし、この位置からステッピングモータ１２１に何個のパルスを供給したかで回転ドラム１３１の回転位置を把握し、ステッピングモータ１２１の回転制御を行う。
【０１１１】
この後、表示制御基板９６は、前記ストッパ１４１を前記表示板１３２ａ、１３２ｂ、１３２ｃ…１３２ｔの係止位置に移動させる。次に、ＣＰＵ５０１は、回転ドラム１３１の停止位置が隣接する支持孔１９４の中間部が表示窓１１３ の上下方向中心に対応して位置するように、すなわち表示板１３２ａ、１３２ｂ、１３２ｃ…１３２ｔの内、表示位置の上下一対の表示板（図９の場合、表示板１３２ｂ、１３２ａ）が表示窓１１３ に臨むように、ステッピングモータ１２１の駆動停止制御を行う。
【０１１２】
この回転ドラム１３１が停止している状態においては、上側の表示板（図９の場合、表示板１３２ｂ）がストッパ１４１で係止され、表示位置に位置する上下一対の表示板（図９の場合、表示板１３２ｂ、１３２ａ）が垂直で平面的に配置され、前方から表示窓１１３ を通じて上下一対の表示板（図９の場合、表示板１３２ｂ、１３２ａ）を１組として１つの絵柄２１１（図８及び図９参照）が表示される。この直後、表示制御基板９６は、モータ３０４を制御し、図１０に示すように、前記リーフ式表示機１００ａ、１００ｂ、１００ｃを板状部３２５がスリット３４１の前端に当接する位置まで移動させ、前記回転ドラム１３１を前記透明板１１０に最も近接した位置に配置する。
【０１１３】
そして、パチンコ機１の利用時、遊技盤１１の遊技領域１２上に打ち出された遊技球が各入賞具１７，１８，１９に入賞すると、主制御基板９１からの動作スタートのコマンドデータが表示制御基板９６に入力されて、モータ３０４が図１２に向かって左回りに回転し、前記回転ドラム１３１を前記透明板１１０から離れた位置に配置した後、リーフ式表示機１００ａ、１００ｂ、１００ｃが動作を開始する。
【０１１４】
そして、全てのリーフ式表示機１００ａ、１００ｂ、１００ｃにおいて、表示制御基板９６は、前記ストッパ１４１を前記表示板１３２ａ、１３２ｂ、１３２ｃ…１３２ｔの回転軌跡の外側に退避させ、ステッピングモータ１２１を駆動し、スパーギア１２３及び回転ドラム１３１が回転させる。この回転ドラム１３１の回転により、表示位置の上側に位置する表示板（図１２の場合、表示板１３２ｂ）が前回りで下方に回動落下する。回転ドラム１３１が所定角度回転する間は、図１２に示すように前記ストッパ１４１が前記表示板１３２ａ、１３２ｂ、１３２ｃ…１３２ｔの回転軌跡の外側に退避するとともに、前記回転ドラム１３１の回転による前記表示板１３２ａ、１３２ｂ、１３２ｃ…１３２ｔの回転軌跡が前記透明板１１０から離れた位置に配置するので、同様にして後続の表示板が前回りで下方に回動落下する。このような、各表示板１３２ａ、１３２ｂ、１３２ｃ…１３２ｔの動作が回転ドラム１３１の回転中に連続して行なわれる。
【０１１５】
この後、表示制御基板９６は、回転ドラム１３１の回転を停止する所定期間前に、前記ストッパ１４１を前記表示板１３２ａ、１３２ｂ、１３２ｃ…１３２ｔの係止位置（図１０参照）に移動させる。次に、ＣＰＵ５０１は、表示を意図する後続の上下一対の表示板が表示窓１１３ に臨むように、ステッピングモータ１２１の駆動停止制御を行う。この状態で上側の表示板は、ストッパ１４１に係止し、表示窓１１３ に後続の上下一対の表示板が表示される。この後、表示制御基板９６は、前記リーフ式表示機１００ａ、１００ｂ、１００ｃの前記回転ドラム１３１を前記透明板１１０に最も近接した位置に配置する。
【０１１６】
かかる構成の図柄表示ユニット３００によれば、表示制御基板９６は、回転ドラム１３１が回転中の場合に前記回転ドラム１３１の回転による前記表示板１３２ａ、１３２ｂ、１３２ｃ…１３２ｔが前記透明板１１０に接触しないように、前記リーフ式表示機１００ａ、１００ｂ、１００ｃを後側に移動させ前記回転ドラム１３１を前記透明板１１０から離れた位置に配置し、回転ドラム１３１が停止中の場合に前記リーフ式表示機１００ａ、１００ｂ、１００ｃを前側に移動させ前記回転ドラム１３１を前記透明板１１０に近接した位置に配置するので、表示板を外部から視認可能な状態で保護する前記透明板１１０と表示位置にある前記表示板との間の距離を短くすることができ、遊技者の視点を表示位置にある表示板と一致させ、表示板の視認性を向上する等が可能になる。
【産業上の利用可能性】
【０１１７】
本発明は、リーフ式表示機を用いたパチンコ機に限らず、スロットマシン用等その他の遊技機にも応用することができる。
【図面の簡単な説明】
【０１１８】
【図１】図１は、本発明の一実施形態によるパチンコ機の表側側の外観構造を表した正面図である。
【図２】図２は、本発明の一実施形態によるパチンコ機の裏面側の構造を表した図である。
【図３】図３は、本発明の一実施形態による図柄表示装置を搭載する図柄表示ユニットの分解斜視図である。
【図４】図４は、本発明の一実施形態による図柄表示ユニットの組み立てた状態の斜視図である。
【図５】図５は、本発明の一実施形態による図柄表示ユニットの底面図である。
【図６】図６は、本発明の一実施形態による図柄表示ユニットの側面図である。
【図７】図７は、本発明の一実施形態によるリーフ式表示機の分解斜視図である。
【図８】図８は、本発明の一実施形態によるリーフ式表示機の斜視図である。
【図９】図９は、本発明の一実施形態によるリーフ式表示機の正面図である。
【図１０】図１０は、本発明の一実施形態による図柄表示ユニットの側方から見た断面図である。
【図１１】図１１は、本発明の一実施形態による図柄表示ユニットを制御する回路系統を示すブロック図である。
【図１２】図１２は、本発明の一実施形態による図柄表示ユニットの動作を説明する説明図である。
【符号の説明】
【０１１９】
１…パチンコ機、２…外枠、３…前枠、
４ａ，４ｂ…開閉連結支持機構、５…施錠装置、６…ガラス扉、
７…上球皿、７ａ…球皿部、７ｂ…レバー、７ｃ…放音部、
８…下球皿、８ａ…球皿部、８ｂ…球出口、９…打球発射装置、
９ａ…操作ハンドル、１０…収容枠、１１…遊技盤、
１２…遊技領域、１３…裏機構、１４…化粧板、１５…案内レール、
１６ａ…外レール、１６ｂ…内レール、１７…一般入賞具、
１８…始動入賞具、１９…アタッカー入賞具、
１８ａ、１８ｂ…チューリップ羽根、１９ａ…開閉扉、
２０…アウト口、２１ａ、２１ｂ、２１ｃ…係合レバー、
２２…遊技補助盤、３０…球貯留供給機構、４０…賞球払出機構、
５０…裏セット盤、５１ａ、５１ｂ…ヒンジ、
５２ａ、５２ｂ、５２ｃ…閉止レバー、３１…タンク部材、
３２…整列樋部材、３３…ターミナル制御部、
４１…開閉基枠体、４２…球切れ検出スイッチ、３４…変向出口、
４３…整列待機通路部材、４４…賞球カセット、９１…主制御基板、
９２…賞球制御基板、９３…ランプ・音声制御基板、
９４…電源基板、９５…中継基板、９６…表示制御基板、
１００…図柄表示装置、
１００ａ、１００ｂ、１００ｃ…リーフ式表示機、
１０１…ケース、１０２…回転駆動部、１０３…回転位置検出センサ、
１０４…リーフ式表示機構部、１０５…ストッパ機構部、
１１０…透明板、１１１…ケース本体、１１２…側面板、
１１３…表示窓、１１４…ネジ孔、１２１…ステッピングモータ、
１２２…ピニオンギア、１２３…スパーギア、１２４…回転軸、
１２５…ネジ止部、１２６…配線、１３１…回転ドラム、
１３２ａ、１３２ｂ、１３２ｃ…１３２ｔ…複数の表示板、
１４１…ストッパ、１４２…回転軸、
１４３ａ、１４３ｂ…軸受け部材、１４４…ソレノイド、
１５１…後壁、１５２ａ、１５２ｂ、１５２ｃ…貫通孔、
１５３ａ、１５３ｂ…ネジ、１５４…側壁、
１５５ａ、１５６ａ…軸受け、１５５ｂ、１５６ｂ…軸受け、
１５７…貫通孔、１５８…ネジ、
１６０ａ、１６０ｂ、１６０ｃ、１６０…貫通孔、
１６１ａ、１６１ｂ、１６１ｃ、１６１ｄ…ネジ穴、
１６２ａ、１６２ｂ、１６２ｃ、１６２ｄ…ネジ、
１７１…上壁、１７２…切欠き、１７３ａ、１７３ｂ…ネジ穴、
１４５ａ、１４５ｂ…貫通孔、１７４ａ、１７４ｂ…ネジ、
１７５…ネジ止め部、１７６ａ、１７６ｂ…貫通孔、
１７７ａ、１７７ｂ…ネジ、１８１…配線、１８２…ネジ穴、
１８３…検出部、１９１…円筒部、１９２…フランジ部、
１９３…ファイナルギア、１９４…支持孔、１９５…軸片部、
１９６…係合片部、２０１…舌片、２０２…ピン、
２０３…プランジャ、２１０…回転位置検出用インデックス、
３００…図柄表示ユニット、３０１…移動台座、３０２…ベース板、
３０３…直線ギア部材、３０４…モータ、３０５…取り付け金具、
３１１、３１２、３１３、３１４、３１５、３１６…ネジ、
３１７…ネジ、３２１、３２２、３２３、３２４…ローラ、
３２５…板状部、３３１、３３２、３３３…貫通孔、
３３４、３３５…ねじ孔、３４１…スリット、
３４２、３４３…ネジ孔、３４４、３４５…ネジ止め部、
３５１…直線ギア、３５４、３５５…貫通孔、
３６１…シャフト、３６２…ギア、３６３…ケース、
３７１…Ｕ字部、ネジ３７２、３７３…止め部、
３７６、３７７…貫通孔、５０１…ＣＰＵ、５０２…ＲＯＭ、
５０３…ＲＡＭ、５０４…モータ駆動回路、
５０５…ソレノイド駆動回路、５０６…モータ駆動回路
【図１】
2007229098.tif 000003
【図２】
2007229098.tif 000004
【図３】
2007229098.tif 000005
【図４】
2007229098.tif 000006
【図５】
2007229098.tif 000007
【図６】
2007229098.tif 000008
【図７】
2007229098.tif 000009
【図８】
2007229098.tif 000010
【図９】
2007229098.tif 000011
【図１０】
2007229098.tif 000012
【図１１】
2007229098.tif 000013
【図１２】
2007229098.tif 000014